(57)【要約】【課題】既存の無線ＬＡＮ子機に変更を加えることなく、消費電力を効果的に低減すること。【解決手段】無線ＬＡＮ親機１０の記憶部１０８が、省電力モード時に無線ＬＡＮ通信において接続対象の候補とする無線ＬＡＮ子機の情報を記憶し、接続制御部１１１が、記憶部１０８に記憶された無線ＬＡＮ子機の情報に基づいて、接続対象とする無線ＬＡＮ子機を選択し、通信速度制御部１１３が、接続制御部１１１により選択された無線ＬＡＮ子機が対応する通信規格の情報に基づいて、省電力モード時の無線ＬＡＮ通信における通信速度を制御する。【選択図】図２
2013051493.tif 000002
【特許請求の範囲】
【請求項１】
無線ＬＡＮ通信を行う無線ＬＡＮ親機であって、
省電力モード時に前記無線ＬＡＮ通信において接続対象の候補とする無線ＬＡＮ子機の情報を記憶する記憶部と、
該記憶部に記憶された前記無線ＬＡＮ子機の情報に基づいて、前記接続対象とする無線ＬＡＮ子機を選択する接続制御部と、
該接続制御部により選択された無線ＬＡＮ子機が対応する通信規格の情報に基づいて、前記省電力モード時の無線ＬＡＮ通信における通信速度を制御する通信速度制御部と、
を備えることを特徴とする無線ＬＡＮ親機。
【請求項２】
前記省電力モード時の無線ＬＡＮ通信における電波の送信電力の値を、前記省電力モード時以外の無線ＬＡＮ通信における電波の送信電力の値よりも小さい所定の値に設定する送信電力制御部をさらに備えることを特徴とする請求項１に記載の無線ＬＡＮ親機。
【請求項３】
前記接続制御部は、前記省電力モード時に、前記記憶部に記憶された無線ＬＡＮ子機の候補の中からのみ接続対象とする少なくとも１つ以上の無線ＬＡＮ子機を選択することを特徴とする請求項１または２に記載の無線ＬＡＮ親機。
【請求項４】
前記通信速度制御部は、前記接続対象とする少なくとも１つ以上の無線ＬＡＮ子機が対応する各通信規格により規定された通信速度のうち、各通信規格において消費電力が最も小さくなる通信速度を前記無線ＬＡＮ通信における通信速度として設定することを特徴とする請求項３に記載の無線ＬＡＮ親機。
【請求項５】
前記接続制御部は、前記省電力モード時に、前記接続対象とする無線ＬＡＮ子機を１つだけ選択することを特徴とする請求項３または４に記載の無線ＬＡＮ親機。
【請求項６】
前記接続制御部は、前記省電力モード時に、選択した無線ＬＡＮ子機以外の無線ＬＡＮ子機の接続を解除することを特徴とする請求項３〜５のいずれか１項に記載の無線ＬＡＮ親機。
【請求項７】
無線ＬＡＮ通信を行う無線ＬＡＮ通信方法であって、
省電力モード時に前記無線ＬＡＮ通信において接続対象の候補とする無線ＬＡＮ子機の情報を記憶部から読み出す情報読出ステップと、
該情報読出ステップにおいて読み出された前記無線ＬＡＮ子機の情報に基づいて、前記接続対象とする無線ＬＡＮ子機を選択する子機選択ステップと、
該子機選択ステップにおいて選択された無線ＬＡＮ子機が対応する通信規格の情報に基づいて、前記省電力モード時の無線ＬＡＮ通信における通信速度を制御する通信速度制御ステップと、
を含むことを特徴とする無線ＬＡＮ通信方法。
【発明の詳細な説明】
【技術分野】
【０００１】
本発明は、無線ＬＡＮ通信を行う無線ＬＡＮ親機、および、無線ＬＡＮ通信方法に関する。
【背景技術】
【０００２】
近年、無線ＬＡＮ親機機能を搭載した携帯ルータや携帯電話機が増えつつある。このような携帯ルータや携帯電話機に、無線ＬＡＮ子機機能を搭載したパーソナルコンピュータや携帯型ゲーム機などを接続することにより、外出先でも手軽にインターネットに接続することができるようになる。
【０００３】
携帯ルータや携帯電話機のこのような使い方は非常に便利であるが、それらの機器を持ち運びし易くするためには小型化、軽量化を進める必要がある。一方で、外出先でもそれらの機器を長時間使用できるようにするためには電池の容量を大きくする必要があるが、電池の容量を大きくすると電池の大きさも大きくなり、また、重量も増えるため、機器の小型化、軽量化を図ることが難しくなる。
【０００４】
特許文献１には、無線端末のスリープ状態に合わせて無線基地局をスリープ状態にし、無線基地局の消費電力を低減する技術が開示されている。この技術を用いれば、電池の容量を大きくすることなく、無線ＬＡＮ親機機能を搭載した機器（無線基地局）の使用可能期間を長くすることができる。
【０００５】
特許文献１の無線基地局は、無線端末に送信する信号を蓄積していない場合に、スリープ状態に移行する。無線端末は、無線基地局から信号の送信がない場合、スリープ状態に移行するため、無線端末に送信する信号がない間、無線基地局がスリープ状態に移行したとしても問題がないからである。
【０００６】
スリープ状態に移行する場合、無線基地局は、信号の送信を禁止する送信禁止期間の情報を付加した制御信号を無線端末に送信する。この制御信号を受信した無線端末は、無線基地局に送信する信号が発生したとしても、その送信禁止期間中はその信号を無線基地局に送信せずに待機する。これにより、無線端末が、スリープ状態にある無線基地局に信号を送信することにより、信号ロスが発生する事態を回避することができる。
【先行技術文献】
【特許文献】
【０００７】
【特許文献１】特開２０１０−１９３２９０号公報
【発明の概要】
【発明が解決しようとする課題】
【０００８】
しかしながら、特許文献１の技術では、無線基地局から受信した制御信号を解析し、その制御信号に送信禁止期間の情報が付加されている場合に、無線基地局に対する信号の送信を保留する機能を無線端末が有していることが必要となる。そのため、既存の無線端末をそのまま用いることができない。
【０００９】
また、無線基地局は、無線端末に送信する信号を蓄積していない場合にスリープ状態に移行するので、無線端末の数が増えるにつれ、無線端末に送信する信号を蓄積していない期間は短くなる。その結果、無線基地局のスリープ期間が短くなり、省電力の効果を得にくくなる。
【００１０】
本発明は、上記課題に鑑み、既存の無線ＬＡＮ子機に変更を加えることなく、消費電力を効果的に低減することができる無線ＬＡＮ親機、無線ＬＡＮ通信方法を提供することを目的とする。
【課題を解決するための手段】
【００１１】
上記課題を解決する為に、本発明の第１の技術手段は、無線ＬＡＮ通信を行う無線ＬＡＮ親機であって、省電力モード時に前記無線ＬＡＮ通信において接続対象の候補とする無線ＬＡＮ子機の情報を記憶する記憶部と、該記憶部に記憶された前記無線ＬＡＮ子機の情報に基づいて、前記接続対象とする無線ＬＡＮ子機を選択する接続制御部と、該接続制御部により選択された無線ＬＡＮ子機が対応する通信規格の情報に基づいて、前記省電力モード時の無線ＬＡＮ通信における通信速度を制御する通信速度制御部と、を備えることを特徴とする。
【００１２】
本発明の第２の技術手段は、第１の技術手段において、前記省電力モード時の無線ＬＡＮ通信における電波の送信電力の値を、前記省電力モード時以外の無線ＬＡＮ通信における電波の送信電力の値よりも小さい所定の値に設定する送信電力制御部をさらに備えることを特徴とする。
【００１３】
本発明の第３の技術手段は、第１または第２の技術手段において、前記接続制御部は、前記省電力モード時に、前記記憶部に記憶された無線ＬＡＮ子機の候補の中からのみ接続対象とする少なくとも１つ以上の無線ＬＡＮ子機を選択することを特徴とする。
【００１４】
本発明の第４の技術手段は、第３の技術手段において、前記通信速度制御部は、前記接続対象とする少なくとも１つ以上の無線ＬＡＮ子機が対応する各通信規格により規定された通信速度のうち、各通信規格において消費電力が最も小さくなる通信速度を前記無線ＬＡＮ通信における通信速度として設定することを特徴とする。
【００１５】
本発明の第５の技術手段は、第３または第４の技術手段において、前記接続制御部は、前記省電力モード時に、前記接続対象とする無線ＬＡＮ子機を１つだけ選択することを特徴とする。
【００１６】
本発明の第６の技術手段は、第３〜第５のいずれか１つの技術手段において、前記接続制御部は、前記省電力モード時に、選択した無線ＬＡＮ子機以外の無線ＬＡＮ子機の接続を解除することを特徴とする。
【００１７】
本発明の第７の技術手段は、無線ＬＡＮ通信を行う無線ＬＡＮ通信方法であって、省電力モード時に前記無線ＬＡＮ通信において接続対象の候補とする無線ＬＡＮ子機の情報を記憶部から読み出す情報読出ステップと、該情報読出ステップにおいて読み出された前記無線ＬＡＮ子機の情報に基づいて、前記接続対象とする無線ＬＡＮ子機を選択する子機選択ステップと、該子機選択ステップにおいて選択された無線ＬＡＮ子機が対応する通信規格の情報に基づいて、前記省電力モード時の無線ＬＡＮ通信における通信速度を制御する通信速度制御ステップと、を含むことを特徴とする。
【発明の効果】
【００１８】
本発明によれば、省電力モード時に無線ＬＡＮ通信において接続対象の候補とする無線ＬＡＮ子機の情報を記憶部から読み出し、読み出された無線ＬＡＮ子機の情報に基づいて、接続対象とする無線ＬＡＮ子機を選択し、選択された無線ＬＡＮ子機が対応する通信規格の情報に基づいて、省電力モード時の無線ＬＡＮ通信における通信速度を制御することとしたので、既存の無線ＬＡＮ子機に変更を加えることなく、消費電力を効果的に低減することができる。
【図面の簡単な説明】
【００１９】
【図１】本発明の実施形態に係る無線ＬＡＮシステムの一例を示す図である。
【図２】本発明の実施形態に係る無線ＬＡＮ親機の構成の一例を示すブロック図である。
【図３】無線ＬＡＮ子機データの一例を示す図である。
【図４】通信規格データに含まれる通信規格の詳細情報の一例を示す図である。
【図５】本発明の実施形態に係る無線ＬＡＮ通信処理の処理手順の一例を示すフローチャートである。
【発明を実施するための形態】
【００２０】
以下、本発明の実施形態について図面を参照して詳細に説明する。まず、本発明の実施形態に係る無線ＬＡＮシステムについて説明する。図１は、本発明の実施形態に係る無線ＬＡＮシステムの一例を示す図である。
【００２１】
図１に示す無線ＬＡＮシステムは、無線ＬＡＮ親機１０と、無線ＬＡＮ子機２０とから構成される。無線ＬＡＮ親機１０は、無線ＬＡＮ通信におけるアクセスポイントとして機能する携帯電話機やスマートフォンなどの装置である。
【００２２】
無線ＬＡＮ子機２０は、無線ＬＡＮ親機１０と無線ＬＡＮ通信を行うパーソナルコンピュータや携帯型ゲーム機などの装置である。無線ＬＡＮ子機２０は、無線ＬＡＮ親機１０を介して携帯電話ネットワーク３０に接続することにより、インターネット上のサービスなどを利用することができるようになる。
【００２３】
つぎに、本発明の実施形態に係る無線ＬＡＮ親機１０の構成について説明する。図２は、本発明の実施形態に係る無線ＬＡＮ親機１０の構成の一例を示すブロック図である。
【００２４】
図２に示すように、無線ＬＡＮ親機１０は、入力部１００、表示部１０１、音声入力部１０２、音声出力部１０３、通信通話用アンテナ１０４、通信通話処理部１０５、無線ＬＡＮ通信用アンテナ１０６、無線ＬＡＮ通信処理部１０７、記憶部１０８、無線ＬＡＮ子機情報管理部１０９、省電力モード制御部１１０、接続制御部１１１、送信電力制御部１１２、通信速度制御部１１３、制御部１１４を備える。
【００２５】
入力部１００は、ユーザから情報の入力を受け付ける入力キーやタッチパッドなどの入力デバイスである。例えば、入力部１００は、通常時の動作モードである通常モードから省電力モードへの切り替えを指示する入力をユーザから受け付ける。
【００２６】
ここで省電力モードとは、無線ＬＡＮ親機１０の消費電力を通常時よりも低減させるモードである。省電力モードでは、例えば、通常時よりも無線ＬＡＮ親機１０の消費電力が小さくなる通信速度で無線ＬＡＮ通信が行われたり、通常時よりも小さい所定の送信電力で無線ＬＡＮ通信用の電波が送信される。
【００２７】
表示部１０１は、情報の表示を行う液晶ディスプレイや有機ＥＬ（Electro-Luminescence）ディスプレイなどの表示デバイスである。例えば、表示部１０１は、通常モードから省電力モードへの切り替えがなされた場合に、その切り替えがなされたことを示す情報を表示する。音声入力部１０２は、音声を入力するマイクなどの音声入力デバイスである。音声出力部１０３は、音声を出力するスピーカーなどの音声出力デバイスである。
【００２８】
通信通話用アンテナ１０４は、携帯電話ネットワーク３０を介して通信あるいは通話を行う場合に、通信あるいは通話用電波の送受信を行うアンテナである。通信通話処理部１０５は、携帯電話ネットワーク３０を介して通信処理あるいは通話処理を行う処理部である。
【００２９】
無線ＬＡＮ通信用アンテナ１０６は、無線ＬＡＮ子機２０と無線ＬＡＮ通信を行う場合に、通信用電波の送受信を行うアンテナである。無線ＬＡＮ通信処理部１０７は、無線ＬＡＮ子機２０と無線ＬＡＮ通信を行う処理部である。
【００３０】
記憶部１０８は、不揮発性メモリなどの記憶デバイスである。この記憶部１０８は、ユーザデータ１０８ａ、無線ＬＡＮ子機データ１０８ｂ、通信規格データ１０８ｃなどを記憶する。
【００３１】
ユーザデータ１０８ａは、電子メールや電話帳などのユーザの個人データである。無線ＬＡＮ子機データ１０８ｂは、通常モードから省電力モードへの切り換え指示をユーザから受け付けた場合に、無線ＬＡＮ通信の接続状態を維持する候補となる無線ＬＡＮ子機２０の情報が登録されたデータである。この無線ＬＡＮ子機データ１０８ｂは、入力部１００を介してユーザにより予め登録される。
【００３２】
図３は、無線ＬＡＮ子機データ１０８ｂの一例を示す図である。図３に示す無線ＬＡＮ子機データ１０８ｂには、ＭＡＣアドレス、優先順位、対応通信規格の情報が登録されている。
【００３３】
ＭＡＣアドレスは、無線ＬＡＮ子機２０のＭＡＣアドレスの情報である。優先順位は、複数の無線ＬＡＮ子機２０と接続している状況において、無線ＬＡＮ親機１０が省電力モードに移行する場合に、接続状態を維持する無線ＬＡＮ子機２０を決定する際に参照される優先順位の情報である。優先順位は、各無線ＬＡＮ子機２０に重複しないように割り当てられる。
【００３４】
対応通信規格は、無線ＬＡＮ子機２０が対応している通信規格の情報である。図３の例における「８０２．１１ｎ」、「８０２．１１ｇ」は、それぞれＩＥＥＥ  ８０２．１１ｎ、ＩＥＥＥ  ８０２．１１ｇの通信規格を示すものである。
【００３５】
通信規格データ１０８ｃは、各通信規格において規定された通信速度など、各通信規格の詳細情報が登録されたデータである。この通信規格データ１０８ｃには、無線ＬＡＮ子機データ１０８ｂに登録されている各通信規格（図３の例では、ＩＥＥＥ  ８０２．１１ｎ、および、ＩＥＥＥ  ８０２．１１ｇ）の詳細情報が含まれる。
【００３６】
図４は、通信規格データ１０８ｃに含まれる通信規格の詳細情報の一例を示す図である。具体的には、図４は、ＩＥＥＥ  ８０２．１１ｎの通信規格の詳細情報である。この詳細情報には、ＭＣＳ（Modulation and Coding Scheme）インデックス、変調方式、符号化率、通信速度の情報が登録されている。
【００３７】
ＭＣＳインデックスは、各通信速度に割り当てられたインデックス番号である。変調方式は、各通信速度の無線ＬＡＮ通信において用いられる変調方式の情報である。符号化率は、誤り訂正における符号化率の情報である。通信速度は、データの通信速度の情報である。図４の例では、８００ｎｓ、４００ｎｓのそれぞれのガードインターバルについて、通信速度の情報が登録されている。
【００３８】
図４に一例を示す詳細情報において、無線ＬＡＮ親機１０の消費電力が最も小さくなる通信速度には、「＊」印が予め付される。図４の例では、８００ｎｓのガードインターバルにおける６．５Ｍｂ／ｓの通信速度に「＊」印が付されている。「＊」印が付された通信速度は、省電力モード時の無線ＬＡＮ通信における通信速度に設定される。
【００３９】
図２の説明に戻ると、無線ＬＡＮ子機情報管理部１０９は、記憶部１０８に記憶された無線ＬＡＮ子機データ１０８ｂ、通信規格データ１０８ｃの登録や読み出しなどを行う処理部である。この無線ＬＡＮ子機情報管理部１０９は、入力部１００を介してユーザから無線ＬＡＮ子機２０や通信規格の情報を受け付け、あるいは、携帯電話ネットワーク３０を介してそれらの情報を受け付け、受け付けた情報を無線ＬＡＮ子機データ１０８ｂ、通信規格データ１０８ｃとして登録する。
【００４０】
省電力モード制御部１１０は、無線ＬＡＮ親機１０の省電力モードへの移行を制御する処理部である。具体的には、省電力モード制御部１１０は、入力部１００を介して通常モードから省電力モードへとモードを切り替える指示をユーザから受け付ける。
【００４１】
そして、省電力モード制御部１１０は、ユーザから上記指示を受け付けた場合に、通常モードから省電力モードへの切り替えを指示する切替制御信号を接続制御部１１１、送信電力制御部１１２および通信速度制御部１１３に対して出力する。
【００４２】
接続制御部１１１は、無線ＬＡＮ親機１０と無線ＬＡＮ子機２０との間の無線ＬＡＮ通信における接続を制御する処理部である。例えば、接続制御部１１１は、省電力モード制御部１１０から切替制御信号を受信した場合に、無線ＬＡＮ子機データ１０８ｂに登録された無線ＬＡＮ子機２０の候補の中からのみ、無線ＬＡＮ通信の接続対象とする無線ＬＡＮ子機２０を選択し、選択されなかったすべての無線ＬＡＮ子機２０の接続を解除する。
【００４３】
これにより、省電力モード時にユーザが接続対象にしたいと考える無線ＬＡＮ子機２０以外の無線ＬＡＮ子機２０が、接続状態となることを防止することができ、無線ＬＡＮ親機１０の消費電力を低減させることができる。
【００４４】
ここで、本実施形態では、接続制御部１１１は、無線ＬＡＮ子機データ１０８ｂに登録された優先順位が最も高い無線ＬＡＮ子機２０を１つだけ選択することとし、それ以外のすべての無線ＬＡＮ子機２０の接続を解除する。このように、必要最小限の無線ＬＡＮ子機２０とだけ接続することにより、無線ＬＡＮ親機１０の消費電力をさらに低減させることができる。
【００４５】
送信電力制御部１１２は、省電力モード制御部１１０から切替制御信号を受信した場合に、省電力モード時の無線ＬＡＮ通信における電波の送信電力の値を、通常モード時など、省電力モード時以外の無線ＬＡＮ通信における電波の送信電力の値よりも小さい所定の値に設定する処理を行う。
【００４６】
例えば、外出先で、携帯電話機やスマートフォンなどの無線ＬＡＮ親機１０と、パーソナルコンピュータや携帯型ゲーム機などの無線ＬＡＮ子機２０との間で無線ＬＡＮ通信を行う場合、無線ＬＡＮ親機１０と無線ＬＡＮ子機２０との間の距離は通常短く、通信品質も良好と考えられる。そのため、電波の送信電力をより小さな値に設定することとしても、無線ＬＡＮ通信には影響がないと考えられる。
【００４７】
このようなことから、省電力モード時の無線ＬＡＮ通信における電波の送信電力の値を、省電力モード時以外の無線ＬＡＮ通信における電波の送信電力の値よりも小さい所定の値に設定することとすることにより、無線ＬＡＮ通信に悪影響を及ぼすことなく、無線ＬＡＮ親機１０の省電力化を図ることができるようになる。
【００４８】
通信速度制御部１１３は、省電力モード制御部１１０から切替制御信号を受信した場合に、無線ＬＡＮ子機データ１０８ｂおよび通信規格データ１０８ｃに登録された通信規格の情報に基づいて、無線ＬＡＮ通信における通信速度を制御する処理部である。
【００４９】
具体的には、通信速度制御部１１３は、無線ＬＡＮ親機１０と接続されている無線ＬＡＮ子機２０が対応している通信規格の情報を無線ＬＡＮ子機データ１０８ｂから読み出す。そして、通信速度制御部１１３は、通信規格データ１０８ｃから、その通信規格の詳細情報を読み出し、詳細情報に登録されている通信速度のうち、無線ＬＡＮ親機１０の消費電力が最も少なくなる通信速度に無線ＬＡＮ通信の通信速度を設定する。
【００５０】
図４の例では、通信速度制御部１１３は、無線ＬＡＮ親機１０の消費電力が最も少なくなる通信速度として「＊」印が付された６．５Ｍｂ／ｓに無線ＬＡＮ通信の通信速度を設定する。これにより、既存の無線ＬＡＮ子機２０に変更を加えることなく、無線ＬＡＮ親機１０の消費電力を効果的に低減することができる。
【００５１】
なお、ここでは、無線ＬＡＮ通信の接続対象とする無線ＬＡＮ子機２０を１つだけ選択する場合について説明したが、無線ＬＡＮ子機データ１０８ｂに登録された優先順位が高い方から複数の無線ＬＡＮ子機２０を選択する場合、通信速度制御部１１３は、各無線ＬＡＮ子機２０が対応する通信規格において、消費電力が最も少なくなる通信速度に、無線ＬＡＮ親機１０と各無線ＬＡＮ子機２０との間で行われる各無線ＬＡＮ通信の通信速度を設定する。
【００５２】
例えば、無線ＬＡＮ通信の接続対象とする無線ＬＡＮ子機２０を２つ選択する場合、図３の例では、優先順位が高いＭＡＣアドレスが「Ａ」と「Ｂ」の無線ＬＡＮ子機２０が選択される。この場合、それらの無線ＬＡＮ子機２０が対応する通信規格は「８０２．１１ｎ」および「８０２．１１ｇ」というように異なるため、各通信規格において消費電力が最も少なくなる通信速度が特定される。
【００５３】
そして、ＭＡＣアドレスが「Ａ」である無線ＬＡＮ子機２０と無線ＬＡＮ親機１０との間の無線ＬＡＮ通信における通信速度は、通信規格「８０２．１１ｎ」において消費電力が最も少なくなる通信速度に、ＭＡＣアドレスが「Ｂ」である無線ＬＡＮ子機２０と無線ＬＡＮ親機１０との間の無線ＬＡＮ通信における通信速度は、通信規格「８０２．１１ｇ」において消費電力が最も少なくなる通信速度に設定される。
【００５４】
図２の説明に戻ると、制御部１１４は、無線ＬＡＮ親機１０を全体的に制御するＣＰＵ（Central Processing Unit）などの制御デバイスである。この制御部１１４は、各機能部間の情報のやり取りを制御する処理などを行う。
【００５５】
つぎに、本発明の実施形態に係る無線ＬＡＮ通信処理の処理手順について説明する。図５は、本発明の実施形態に係る無線ＬＡＮ通信処理の処理手順の一例を示すフローチャートである。なお、ここでは、少なくとも１台の無線ＬＡＮ子機２０が無線ＬＡＮ親機１０に接続されているものとする。
【００５６】
図５に示すように、まず、無線ＬＡＮ親機１０の省電力モード制御部１１０は、入力部１００を介してユーザが行う省電力モードへの切替指示を待ち受ける（ステップＳ１０１）。そして、省電力モード制御部１１０は、ユーザから切替指示を受け付けたか否かを判定する（ステップＳ１０２）。ユーザから切替指示を受け付けていない場合（ステップＳ１０２においてＮＯの場合）、ステップＳ１０１に移行して、その後の処理を継続する。
【００５７】
ユーザから切替指示を受け付けた場合（ステップＳ１０２においてＹＥＳの場合）、接続制御部１１１は、予め記憶部１０８に記憶されている無線ＬＡＮ子機データ１０８ｂを読み出す（ステップＳ１０３）。
【００５８】
そして、接続制御部１１１は、その時点で無線ＬＡＮ親機１０と接続している無線ＬＡＮ子機２０の情報が無線ＬＡＮ子機データ１０８ｂに登録されているか否かを判定する（ステップＳ１０４）。
【００５９】
その時点で無線ＬＡＮ親機１０と接続している無線ＬＡＮ子機２０の情報が無線ＬＡＮ子機データ１０８ｂに登録されていない場合（ステップＳ１０４においてＮＯの場合）、接続制御部１１１は、すべての無線ＬＡＮ子機２０の接続を解除する（ステップＳ１１１）。そして、この無線ＬＡＮ通信処理は終了する。
【００６０】
ステップＳ１０４において、その時点で無線ＬＡＮ親機１０と接続している無線ＬＡＮ子機２０の情報が無線ＬＡＮ子機データ１０８ｂに登録されていた場合（ステップＳ１０４においてＹＥＳの場合）、接続制御部１１１は、その時点で無線ＬＡＮ親機１０と接続している無線ＬＡＮ子機２０が複数あり、その複数の無線ＬＡＮ子機２０の情報が無線ＬＡＮ子機データ１０８ｂに登録されているか否かを判定する（ステップＳ１０５）。
【００６１】
その時点で無線ＬＡＮ親機１０と接続している無線ＬＡＮ子機２０が複数あり、その複数の無線ＬＡＮ子機２０の情報が無線ＬＡＮ子機データ１０８ｂに登録されている場合（ステップＳ１０５においてＹＥＳの場合）、接続制御部１１１は、その時点で無線ＬＡＮ親機１０と接続している複数の無線ＬＡＮ子機２０のうち、無線ＬＡＮ子機データ１０８ｂに登録された優先度が最も高い無線ＬＡＮ子機２０を選択する（ステップＳ１０６）。
【００６２】
そして、接続制御部１１１は、選択した無線ＬＡＮ子機２０以外の接続を解除する処理を行う（ステップＳ１０７）。
【００６３】
その後、送信電力制御部１１２は、無線ＬＡＮ通信における電波の送信電力の値を、省電力モード時以外の無線ＬＡＮ通信における電波の送信電力の値よりも小さい所定の値に設定する（ステップＳ１０８）。
【００６４】
そして、通信速度制御部１１３は、接続している無線ＬＡＮ子機２０が対応している通信規格の情報を無線ＬＡＮ子機データ１０８ｂから読み出し、その通信規格に対応する詳細情報を通信規格データ１０８ｃから読み出して、無線ＬＡＮ通信における通信速度を、無線ＬＡＮ親機１０の消費電力が最も小さくなる速度に設定する（ステップＳ１０９）。
【００６５】
具体的には、通信速度制御部１１３は、通信規格データ１０８ｃに登録されている通信規格の詳細情報において、無線ＬＡＮ親機１０の消費電力が最も小さくなる通信速度として登録されている通信速度（例えば、図４の通信速度６．５Ｍｂ／ｓ）に無線ＬＡＮ通信における通信速度を設定する。
【００６６】
その後、無線ＬＡＮ通信処理部１０７は、ステップＳ１０８において設定された電波の送信電力、ステップＳ１０９において設定された通信速度で、接続中の無線ＬＡＮ子機２０と無線ＬＡＮ通信を行う（ステップＳ１１０）。そして、この無線ＬＡＮ通信処理は終了する。
【００６７】
ステップＳ１０５において、その時点で無線ＬＡＮ親機１０と接続している無線ＬＡＮ子機２０の情報が無線ＬＡＮ子機データ１０８ｂに複数登録されていない場合（ステップＳ１０５においてＮＯの場合）、すなわち、その時点で無線ＬＡＮ親機１０と接続している無線ＬＡＮ子機２０の情報が無線ＬＡＮ子機データ１０８ｂに１つだけ登録されている場合、情報が登録されている１台の無線ＬＡＮ子機２０を選択する（ステップＳ１１２）。そして、ステップＳ１０７に移行して、それ以後の処理を継続する。
【００６８】
さて、これまで無線ＬＡＮ親機および無線ＬＡＮ通信方法の実施形態を中心に説明を行ったが、本発明はこれらの実施形態に限定されるものではなく、無線ＬＡＮ親機の機能を実現するためのコンピュータプログラムとしての形態、あるいは、当該コンピュータプログラムが記録されたコンピュータ読み取り可能な記録媒体の形態として本発明が実施されることとしてもよい。
【００６９】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等、さまざまな形態のものを採用することができる。
【００７０】
これら記録媒体に上記実施形態における無線ＬＡＮ親機の機能を実現させるコンピュータプログラム、または、無線ＬＡＮ通信方法をコンピュータに実行させるコンピュータプログラムを記録して流通させることにより、コストの低廉化、及び可搬性や汎用性を向上させることができる。
【００７１】
そして、コンピュータに上記記録媒体を装着し、コンピュータにより記録媒体に記録されたコンピュータプログラムを読み出してメモリに格納し、コンピュータが備えるプロセッサ（CPU：Central Processing Unit、MPU：Micro Processing Unit）が当該コンピュータプログラムをメモリから読み出して実行することにより、本実施形態に係る無線ＬＡＮ親機の機能を実現し、無線ＬＡＮ通信方法を実行することができる。
【００７２】
また、本発明は上述した実施形態に限定されず、本発明の要旨を逸脱しない範囲内で各種の変形、修正が可能である。
【符号の説明】
【００７３】
１０…無線ＬＡＮ親機、２０…無線ＬＡＮ子機、３０…携帯電話ネットワーク、１００…入力部、１０１…表示部、１０２…音声入力部、１０３…音声出力部、１０４…通信通話用アンテナ、１０５…通信通話処理部、１０６…無線ＬＡＮ通信用アンテナ、１０７…無線ＬＡＮ通信処理部、１０８…記憶部、１０８ａ…ユーザデータ、１０８ｂ…無線ＬＡＮ子機データ、１０８ｃ…通信規格データ、１０９…無線ＬＡＮ子機情報管理部、１１０…省電力モード制御部、１１１…接続制御部、１１２…送信電力制御部、１１３…通信速度制御部、１１４…制御部。
【図１】
2013051493.tif 000003
【図２】
2013051493.tif 000004
【図３】
2013051493.tif 000005
【図４】
2013051493.tif 000006
【図５】
2013051493.tif 000007